【事件の表示】
　特願２０１１−２２９１８２「通信端末および通信方法」拒絶査定不服審判事件〔平成２４年　１月１９日出願公開、特開２０１２−　１１２４５〕について、次のとおり審決する。
【結　論】
　本件審判の請求は、成り立たない。
【理　由】
第１　手続の経緯
　本願は、平成２０年１２月２６日に出願した特願２００８−３３５０２５号（以下、「原出願」という）の一部を平成２３年１０月１８日に新たな特許出願としたものであって、平成２５年９月５日付けの拒絶の理由の通知に対し、平成２５年１１月８日付けで手続補正がなされたが、平成２６年１月２４日付けで拒絶査定がなされたものである。これを不服として平成２６年４月２５日に本件審判請求がなされ、同時に手続補正がなされた。
　
第２　平成２６年４月２５日付け手続補正（以下、「本件補正」という）について
　本件補正は、平成２５年１１月８日付けで補正された、本件補正前の特許請求の範囲の請求項１−５のうち、請求項４を削除し、それに伴い請求項５の番号を繰り上げて、本件補正後の請求項１−４としたものである。
　本件補正は、特許法第１７条の２第５項第１号に規定された請求項の削除を目的とするものに該当し、適法なものである。
　
第３　本願発明について
１．本願発明
　本願の請求項１−４に係る発明は、平成２６年４月２５日付けの手続補正により補正された特許請求の範囲の請求項１−４の記載により特定されるとおりものであるところ、その請求項４に係る発明（以下、「本願発明」という）は、次のとおりである。
　
「複数の端末と通信可能な通信端末に通信を行い、他の端末から入力された情報を表示画面に表示する通信端末に実行させる表示方法であって、
他の端末との通信接続が開始される際に、各端末について、それぞれの端末ＩＤごとに当該端末から送信された情報を表示部に表示する際の表示色を、端末が接続完了した順にしたがって規定する表示色規定ステップと、
ユーザのユーザ番号若しくはユーザネーム又はユーザの使用するプレイヤキャラクタと規定された表示色との対応関係を表示画面上に表示する第一表示ステップと、
他の端末から受信した情報から送信元の端末ＩＤを検出し、表示色規定ステップにおいて規定された端末ＩＤごとの表示色をもとに、送信元の端末ＩＤに対応する表示色を決定する表示色決定ステップと、
決定された表示色を用いて、受信した情報を表示画面上に表示する第二表示ステップとを含むことを特徴とする表示方法。」
　
２．刊行物
（１）刊行物１
ア．刊行物１の記載事項
　原査定の拒絶の理由で引用された原出願の出願前に頒布された刊行物である特開平７−１０５１０５号公報（以下、「刊行物１」という）には、図面とともに次の事項が記載されている。
　
「【発明の詳細な説明】
【０００１】
【産業上の利用分野】本発明は、手書き入力表示端末装置を用いた手書き入力会議システムに関するものである。
【０００２】
【従来の技術】従来、コンピュータなどの情報処理装置を用いないで会議を開催する場合には、各参加者が、事前に会議内容をそれぞれ紙に作成し、参加者の人数分複写し、開催時に参加者に配布していた。
【０００３】そして、会議開催時に参加者の発言内容、自分のメモなどを配布された紙や自分の手帳に記載することで会議を進めていた。
【０００４】このような会議の進め方では、発言の記載漏れ、発言者の記載漏れなどがある上、発言内容を各個人で判断して記載するため内容の取り違えが生じたり、議事録作成時に会議での決定事項が漏洩することがある。
【０００５】一方、電子黒板を利用した会議では、参加者全員が同一情報を共有できるようになり、各個人が異なる判断をする可能性は減少するものの、個人的に記載した自分のメモと共有情報の関係を残しておくことができない。
【０００６】本発明に関連する従来技術としては、端末装置相互間でデータの交換を行い、１つのウィンドウに共有データとして表示し、端末装置ごとにウィンドウの大きさの変更やスクロールの制御機能を持たせたものがある（特開平２−５０２４９２号公報「マルチウィンドウ通信システム」参照）。
【０００７】また、各端末装置上に共有情報を表示するためのパブリックウィンドウと、プライベートメモのためのプライベートウィンドウを表示し、ウィンドウ間でデータの交換を行う技術が知られている（特開平４−２５５３９８号公報「手元黒板システム」参照）。
【０００８】
【発明が解決しようとする課題】しかしながら、前記従来技術として開示されている「マルチウィンドウ通信システム」では、会議参加者が共通に利用する共有情報を１つのウィンドウ上に表示するのみであり、各個人のプライベートな手書き情報を直接ウィンドウ上に表示することができないという問題がある。
【０００９】また、前記「手元黒板システム」に開示されている技術は、会議参加者が共同に利用するウィンドウと、各個人のメモを書くためのウィンドウとが、別々に存在するため、共有手書き情報と、それに関連する各個人のプライベートな手書き情報とを、同一ウィンドウ上で見ることができないため、自分の手書きメモがどの共有情報と関連があるのか、一目で判断できないという問題がある。
【００１０】また、共有情報も会議参加者の誰が入力したのか判別できないという問題がある。
【００１１】本発明は、前記従来技術の問題点を解決するためになされたものであり、本発明の目的は、手書き入力表示端末装置を用いた手書き入力会議システムにおいて、１つのウィンドウ上に会議参加者が共有する共有情報と、各個人のプライベートな手書き情報を区別できる形式で表示し、かつ、会議参加者が共有する共有情報と、各個人のプライベートな手書き情報を一括あるいは分割して保存することを可能とする技術を提供することにある。
【００１２】本発明の前記目的並びにその他の目的及び新規な特徴は、本明細書の記載及び添付図面によって明らかにする。
【００１３】
【課題を解決するための手段】前記目的を達成するために、本発明の（１）の手段は、複数の相手と同時に通信が可能で、かつ、マルチウィンドウを表示可能な手書き入力表示端末装置を使用する手書き入力会議システムにおいて、各手書き入力表示端末装置が、各個人のプライベートな手書き情報を入力する入力手段と、該入力手段により入力された各個人のプライベートな手書き情報と会議参加者が共有する共有手書き情報とを、同時に同一ウィンドウ内に表示する表示手段とを具備することを特徴とする。
【００１４】また、本発明の（２）の手段は、前記（１）の手段において、各手書き入力表示端末装置が、記憶手段と、同一ウィンドウ内に表示された会議参加者が共有する共有手書き情報および各個人のプライベートな手書き情報を、前記記憶手段に書き込む手段とを具備することを特徴とする。
【００１５】また、本発明の（３）の手段は、前記（１）の手段において、各手書き入力表示端末装置が、複数の記憶手段と、同一ウィンドウ内に表示された会議参加者が共有する共有手書き情報および各個人のプライベートな手書き情報を、前記複数の記憶手段に分割して書き込む手段とを具備することを特徴とする。
【００１６】また、本発明の（４）の手段は、前記（１）ないし（３）のいずれかにおいて、各手書き入力表示端末装置が、カラー表示が可能であり、会議参加者が共有する共有手書き情報と各個人のプライベートな手書き情報を、会議参加者毎に指定した色表示する手段を具備することを特徴とする。
【００１７】また、本発明の（５）の手段は、前記（１）ないし（３）のいずれかにおいて、各手書き入力表示端末装置が、階調表示が可能であり、会議参加者が共有する共有手書き情報と各個人のプライベートな手書き情報を、会議参加者毎に指定した濃さで表示する手段を具備することを特徴とする。
【００１８】また、本発明の（６）の手段は、前記（１）ないし（５）のいずれかにおいて、各手書き入力表示端末装置が、入力手段により入力された各個人のプライベート手書き情報を、他の任意の手書き入力表示端末装置に、会議参加者が共有する共有手書き情報として転送する転送手段と、入力手段により入力された各個人のプライベート手書き情報を会議参加者が共有する共有手書き情報として表示する手段とを具備することを特徴とする。
【００１９】
【作用】前記手段によれば、複数の相手と同時に通信が可能で、かつ、マルチウィンドウを表示可能な手書き入力表示端末装置を使用する手書き入力会議システムにおいて、会議参加者が共有する共有情報と、各個人のプライベートな手書き情報とを、１つのウィンドウ上に区別して表示するようにしたので、会議の進行状況を参加者が容易に把握することが可能となる。
【００２０】また、会議参加者が共有する共有情報と、各個人のプライベートな手書き情報とを、一括あるいは分割して保存できるようにしたので、議事録を容易に作成することが可能となる。
【００２１】
【実施例】以下、図面を参照して本発明の実施例を詳細に説明する。
【００２２】なお、実施例を説明するための全図において、同一機能を有するものは同一符号を付け、その繰り返しの説明は省略する。
【００２３】図１は、本発明の一実施例である手書き入力会議システムを説明するための模式図である。
【００２４】図２は、本発明の一実施例である手書き入力会議システムに用いられる手書き入力表示端末装置の概略構成を示すブロック図である。
【００２５】図１において、１は手書き入力表示端末装置（以下、端末装置という）、２は通信回線であり、本実施例の手書き入力会議システムは、端末装置１が、通信回線２に複数個接続されて構成される。
【００２６】図２において、端末装置１は、データ処理装置１１、入力データを保存するハードディスク装置１２、手書き入力用のペン１３、通信回線２に接続され他の端末装置１とのデータの送受信を行う通信ポート１４、およびデータ入力用の入力装置（キーボード）１５から構成されている。
【００２７】また、データ処理装置１１は、中央処理装置（以下、ＣＰＵという）１１Ａ、メモリ１１Ｂおよび手書き入力表示画面（以下、表示画面という）１１Ｃから構成される。
【００２８】本実施例の手書き入力会議システムにおいては、会議の議事項目は、予めキーボード１５を用いて入力し、データファイルとしてハードディスク装置１２の中に格納しておく。
【００２９】このデータファイルは、ウィンドウ上に表示するプログラムが扱える形式であれば、どんなファイル形式でもよい。
【００３０】本実施例では、会議参加者は、それぞれの端末装置１で会議進行プログラムを起動し、各自の名前をペン１３を用いて登録する。
【００３１】図３〜図９は、本実施例の手書き入力会議システムに用いられる端末装置の表示画面を示す図である。
【００３２】図３は、会議の開始時に参加者の名前を登録するための、各端末装置１の表示画面１１Ｃを示す図であり、表示画面１１Ｃ上のウィンドウ２１内に、標題２１１および名前登録用スペース２１２が表示されている。
【００３３】会議参加者は、各自の名前を名前登録用スペース２１２にペン１３を用いて登録する。
【００３４】この時、各個人のプライベートな手書き情報と他の参加者が入力した共有手書き情報をどの色、どの濃度で表示するか選択する。
【００３５】この色の選択方法としては、例えば、最初に起動された端末装置１の会議進行プログラムが表示色管理を行なって各参加者に色を割り当てる方法や、参加者が選択した色を、各参加者のそれぞれの各端末装置１に通信し、他参加者が選べないようにするなどの方法がある。
【００３６】名前の登録が終了すると、それぞれの端末装置１の会議進行プログラムは、他の端末装置１上で稼働している会議進行プログラムに対し、同報通信の形式で参加者名と端末装置１のＩＤ(Identifier ： 識別子)を送信する。
【００３７】それぞれの端末装置１の各会議進行プログラムは、受信した他の端末装置１のＩＤをメモリ１１Ｂの中に保存し、以後の受信データが、どの端末装置１からのデータであるかを判断するために利用する。
【００３８】通常の会議では、１名が進行係として議事を進めていくので、本実施例でも１台の端末装置１を議事進行用の端末装置１として説明を進める。
【００３９】ただし、本手書き入力会議システムでは、それぞれの端末装置１は全く同一機能を有しているものとし、議事進行用の端末装置１の変更も可能であるし、同時に複数の端末装置１を議事進行に使うことも可能である。
【００４０】会議の議事項目は、議事進行用の端末装置１から全ての端末装置１へ共有情報の一種として送信される。
【００４１】各々の端末装置１は、受信したデータを議事項目として、各端末装置１の表示画面１１Ｃ上にウィンドウを開いて表示する。
【００４２】図４は、会議開始時の各端末装置１の表示画面１１Ｃを示す図であり、ウィンドウ３１内に会議の議事項目が表示されている。
【００４３】これ以後、このウィンドウ３１上にペン１３を用いて手書き入力することにより会議を進める。
【００４４】会議の参加者は、それぞれの発言事項あるいはプライベートなメモ情報を端末装置１のウィンドウ上にペン１３を用いて入力する。
【００４５】また、各端末装置１の表示画面１１Ｃには、以後の操作を指示するための指示ボタンとして、配布ボタン３３、選択ボタン３４、登録ボタン３５および保存ボタン３６も表示される。
【００４６】図５は、会議の参加者が、それぞれの発言事項あるいはプライベートなメモ情報４１１を、端末装置１のウィンドウ４１上にペン１３を用いて手書き入力を行っている各端末装置１の表示画面１１Ｃを示す図である。
【００４７】この時点では、入力された情報は全て、各個人のプライベートな手書き情報である。
【００４８】以下、一旦入力した各個人のプライベートな手書き情報を、会議参加者が共有する共有情報に変換する方法について説明する。
【００４９】まず、手書き入力した各個人のプライベートな手書き情報を選択し、これを会議参加者が共有する共有情報として登録するよう指示する。
【００５０】共有情報として登録するための指示方法としては、例えば、ペン１３で各個人のプライベートな手書き情報全体を囲む方法、あるいは、図６に示すように、選択ボタン３４をペン１３で押下した後、図６の５１１に示すように、選択範囲の左上端と右下端を指示する方法など種々の方法がある。
【００５１】図６は、各個人のプライベートな手書き情報を共通情報として登録するために、手書きデータをペン１３で選択している各端末装置１の表示画面１１Ｃを示す図である。
【００５２】また、共有情報として登録するための指示方法としては、例えば、登録のための記号を選択した図形上にペン１３で入力する方法、あるいは、図７に示すように、登録ボタン３５をペン１３で押下するなどの方法がある。
【００５３】図７は、各個人のプライベートな手書き情報を共通情報として登録するために、手書きデータの送信先を決定している各端末装置１の表示画面１１Ｃを示す図である。
【００５４】本実施例では、以後、各指示ボタンを利用する方法について説明する。
【００５５】図７に示す、会議参加者が共有する共有情報として登録要求があった、それぞれの各個人のプライベートな手書き情報である手書きデータ６１１は、同報通信の形式で、他の端末装置１に送付される。
【００５６】この手書きデータ６１１を受信した各々の端末装置１は、受信した手書きデータ６１１をメモリ１１Ｂの共有情報格納領域に格納した後、表示画面１１Ｃに共有情報として表示する。
【００５７】また、手書きデータ６１１を送信した端末装置１では、手書きデータ６１１をメモリ１１Ｂの各個人のプライベートな手書き情報格納領域から、共有情報格納領域に移動した後、表示画面１１Ｃの表示色あるいは濃度を変更する。
【００５８】会議が終了した時点で、入力された共有情報と各個人のプライベートな手書き情報をハードディスク装置１２内のファイルに保存する。
【００５９】この時、データの保存方法を選択することができる。
【００６０】図８は、画面上に表示されている情報を保存する際に、保存方法を選択している各端末装置１の表示画面１１Ｃを示す図である。
【００６１】図８おいて、保存ボタン３６をペン１３で押下すると、保存方法の選択のためのウィンドウ７１が現れる。
【００６２】このウィンドウ７１内に、一括保存ボタン７２および分割保存ボタン７３が表示されている。
【００６３】ここで、一括保存ボタン７２を押下すると、全ての手書き情報が１つのファイルに保存される。
【００６４】また、図９に示すように、分割保存ボタン７３を押下すると、さらに、会議参加者の名前がリストの形式で、ウィンドウ８１内表示され、このリストの中から分割保存したいデータの入力者を選んだ後、実行ボタン（図中には示していない）を押下することにより、選択したデータの入力者ごとのデータファイルとそれ以外の会議参加者のデータファイルが別々に作成される。
【００６５】図９は、画面上に表示されている情報を保存する際に、分割保存を選択し、保存する人を選択している各端末装置１の表示画面１１Ｃを示す図である。
【００６６】議事録作成の際には、保存したデータファイルから自分が見たい参加者のデータを選んで表示することにより、会議開催時の各参加者の発言内容を回復することができ、容易に議事録を作成することができる。
【００６７】図１０は、本実施例である会議システムを起動し、手書き入力会議が可能になるまでの処理手順を示すフローチャートである。
【００６８】図１０のフローチャートを用いて、本実施例である会議システムを起動し、手書き入力会議が可能になるまでの処理手順を説明する。
【００６９】始めに、各々の端末装置１上で手書き入力会議システムを起動する（ステップ９１）。
【００７０】次に、会議参加者が名前を入力し（ステップ９２）、同時に、各参加者の手書き入力情報の表示色も登録する。
【００７１】これらの情報は、参加している全ての端末装置１へ通信される（ステップ９３）。
【００７２】全ての会議参加者が登録を終了すると、議事進行用の端末装置１は、議事の内容を各々の端末装置１へ送付する（ステップ９４、９５）。
【００７３】議事進行用の端末装置１以外の端末装置１は、議事の内容を受信し、表示画面１１Ｃに表示する（ステップ９６）。
【００７４】図１１は、本実施例である会議システムにおいて、会議進行時に、各端末装置が、各参加者の入力データを処理する処理手順を示すフローチャートである。
【００７５】図１１のフローチャートを用いて、本実施例である会議システムにおいて、会議進行時に、各参加者の入力データを処理する処理手順を説明する。
【００７６】本実施例の会議システムは、会議開始後、手書き入力又は他の端末装置１からのデータの送信を待ち（ステップ１０１）、イベントの種類によって、処理する内容を決定する（ステップ１０２）。
【００７７】手書き入力イベントの場合、連続した手書きデータを取り込み（ステップ１０３）、その後、メモリ１１Ｂの各個人のプライベートな手書き情報格納領域に座標を蓄え（ステップ１０４）、再度イベント待ちを行う。
【００７８】データ受信イベントの場合は、データを受信し（ステップ１０５）、送信元を受信データから判断した後（ステップ１０６）、送信終了までデータを受信し、送信元のＩＤを含めて、メモリ１１Ｂの共有情報格納領域に格納し（ステップ１０７）、送信元のＩＤから共有情報の表示色を決定した後、ウィンドウ上に表示し（ステップ１０８）、再度イベントを待つ。
【００７９】図１２は、本実施例である会議システムにおいて、プライベート情報を共有情報として登録する処理手順を示すフローチャートである。
【００８０】図１２を用いて、本実施例である会議システムにおいて、プライベート情報を共有情報として登録する処理手順を説明する。
【００８１】始めに、選択ボタン４４を押下した後（ステップ１１１）、ウィンドウ上の２点をペン１３で指示し（ステップ１１２）、その範囲内にある各個人のプライベートな手書き情報を選択する（ステップ１１３）。
【００８２】その後、共有情報への登録ボタン４５を押下することで（ステップ１１４）、メモリ１１Ｂの各個人のプライベートな手書き情報格納領域から、共有情報格納領域に移動し（ステップ１１５）、登録対象端末装置に対してデータを送信（ステップ１１６）し、共有情報の表示色で画面上に表示し直す（ステップ１１７）。
【００８３】図１３は、本実施例である会議システムにおいて、会議が終了した時点で、手書き入力情報を保存する処理手順を示すフローチャートである。
【００８４】図１３を用いて、本実施例である会議システムにおいて、会議が終了した時点で、手書き入力情報を保存する処理手順を説明する。
【００８５】始めに、保存ボタン４６を押下した後（ステップ１２１）、保存方法を選択する（ステップ１２２）。
【００８６】一括保存、または、分割保存を決定し（ステップ１２６）、一括保存の場合は、一括保存ボタン５２を押下することにより、全ての手書き情報を共有情報として１つのファイルに保存して処理を終了する（ステップ１２３）。
【００８７】分割保存の場合は、分割保存ボタン５３を押下し、さらに、分割保存したい参加者を選択し（ステップ１２４）、各参加者ごととその他のデータをそれぞれ別のファイルに保存して終了する（ステップ１２５）。
【００８８】以上、一連のフローチャートに基づいた操作を行うことにより、手書き入力表示端末装置を用いた会議を行うことができる。
【００８９】また、会議参加者のプライベート情報および共有情報の一括保存または分割保存を行うことができる。
【００９０】さらに、本実施例は、通信手段を選択することにより、一箇所に集まって行なう会議だけでなく、遠隔地での打ち合わせや電子メールのやりとりなどにも適用可能である。
【００９１】以上、本発明を実施例に基づき具体的に説明したが、本発明は、前記実施例に限定されるものではなく、その要旨を逸脱しない範囲で種々変更し得ることは言うまでもない。
【００９２】
【発明の効果】以上説明したように、本発明によれば、複数の相手と同時に通信が可能で、かつ、マルチウィンドウを表示可能な手書き入力表示端末装置を使用する手書き入力会議システムにおいて、会議参加者が共有する共有情報と、各個人のプライベートな手書き情報とを、１つのウィンドウ上に区別して表示するようにしたので、会議の進行状況を参加者が容易に把握することが可能となる。
【００９３】また、会議参加者が共有する共有情報と、各個人のプライベートな手書き情報とを、一括あるいは分割して保存できるようにしたので、議事録を容易に作成することが可能となる。」
　
イ．刊行物１発明
（ア）「複数の端末装置と通信可能な端末装置に通信を行い、他の端末装置からの手書きデータを表示画面に表示する端末装置に実行させる表示方法」
　
　刊行物１には、端末装置１が、通信回線２に複数個接続されて構成される手書き入力会議システム（【００２５】、図１）が記載されており、このシステムにおける、各端末装置が他の端末装置から受信したデータを画面表示する図１１のフローチャートの動作は、「端末装置に実行させる表示方法」と捉えることができる。
　また、この端末装置が表示画面に表示する、他の端末装置から受信したデータは、「手書きデータ」である（【００５５】）。
　さらに、このシステムの各端末装置は何れも、通信回線２を介して接続された「複数の端末装置と通信可能な端末装置」であり、上記の表示方法を実行する端末装置は、「複数の端末装置と通信可能な端末装置に通信を行」うものであるといえる。
　したがって、刊行物１には、「複数の端末装置と通信可能な端末装置に通信を行い、他の端末装置からの手書きデータを表示画面に表示する端末装置に実行させる表示方法」が記載されているといえる。
　
（イ）「各端末装置において会議参加者により名前と同時に登録され、参加している全ての端末装置に送信された、各参加者の手書き入力情報の表示色及び対応する端末装置のＩＤを記憶するステップ」
　
　刊行物１の図１０には、「会議システムを起動し、手書き入力会議が可能になるまでの処理手順を示すフローチャート」が記載されている。
　この処理手順では、各々の端末装置上で手書き入力会議システムが起動されると、各端末装置において会議参加者により名前と同時に各参加者の手書き入力情報の表示色が登録され、これらの情報は、参加している全ての端末装置に送信される（【００６８】−【００７１】）。また、それとともに対応する端末装置のＩＤも送信される（【００３３】−【００３６】）。
　このようにして端末装置に送信された各端末の表示色の情報やＩＤは、後に端末装置が手書きデータを受信したときに、送信元のＩＤから表示色を決定するために用いられる（【００７８】）のであるから、端末装置では上記送信された各端末の表示色の情報やＩＤを記憶するステップを有しているのは明らかである。
　したがって、刊行物１に記載された「表示方法」は、「各端末装置において会議参加者により名前と同時に登録され、参加している全ての端末装置に送信された、各参加者の手書き入力情報の表示色及び対応する端末装置のＩＤを記憶するステップ」を含んでいるといえる。
　
（ウ）「他の端末装置から受信した手書きデータを送信元のＩＤを含めて格納し、送信元のＩＤから手書きデータの表示色を決定するステップ」
　
　刊行物１に記載された「表示方法」では、他の端末装置から受信したデータを送信元のＩＤを含めて格納し、送信元のＩＤから表示色を決定する（【００７８】）。このデータは手書きデータであり（【００５５】）、表示色は手書きデータの表示色である。
　したがって、刊行物１に記載された「表示方法」は、「他の端末装置から受信した手書きデータを送信元のＩＤを含めて格納し、送信元のＩＤから手書きデータの表示色を決定するステップ」を含んでいる。
　
（エ）「前記手書きデータを前記表示画面に表示するステップ」
　
　刊行物１に記載された「表示方法」では、上述したように手書きデータの表示色を決定した後、（表示画面の）ウィンドウ上に表示する（【００７８】）。
　したがって、刊行物１に記載された「表示方法」は、「前記手書きデータを前記表示画面に表示するステップ」を含んでいる。
　
（オ）刊行物１発明
　以上をまとめると、刊行物１には、次の発明（以下、「刊行物１発明」という）が記載されていると認められる。
　
［刊行物１発明］
　複数の端末装置と通信可能な端末装置に通信を行い、他の端末装置からの手書きデータを表示画面に表示する端末装置に実行させる表示方法であって、
　各端末装置において会議参加者により名前と同時に登録され、参加している全ての端末装置に送信された、各参加者の手書き入力情報の表示色及び対応する端末装置のＩＤを記憶するステップと、
　他の端末装置から受信した手書きデータを送信元のＩＤを含めて格納し、送信元のＩＤから手書きデータの表示色を決定するステップと、
　前記手書きデータを前記表示画面に表示するステップとを含むことを特徴とする表示方法。
　
（２）刊行物２の記載事項
　原査定の拒絶の理由で引用された原出願の出願前に頒布された刊行物である特開２００６−３１３５９号公報（以下、「刊行物２」という）には、図面とともに次の事項が記載されている。
　
「【００９７】
  図１３は、第４の実施形態のサーバのホワイトボードを模式的に示す図である。
【００９８】
  図１３に示すように、ホワイトボードサーバ１は、デスクトップ５０の上にクライアントＡ用ウインドウ５１及びクライアントＢ用ウインドウ５２が配置され、マウスイベントにより取得されたベクトルデータを描画するサーバ用ウインドウ５３が最上面に配置されている。
【００９９】
  ホワイトボードサーバ１は、ユーザ毎に描画面を管理すると共に、クライアントからの接続を待ち受ける図示しないソケットを持ち、新たな描画面を共有画面に表示する機能や削除する機能を有する。
【０１００】
  各ウインドウは、それぞれ別個のソケットをもち、ホワイトボードクライアント３１は、そのソケットを利用し、サーバＰＣに対して例えばＴＣＰ／ＩＰによる接続を行うことができる。
【０１０１】
  図１４は、第４の実施形態のサーバのホワイトボードの動作を示すフローチャートである。
【０１０２】
  図１４に示すように、サーバーホワイトボードによる接続待ち受けが開始されると（Ｓ２１）、クライアントホワイトボードからの接続を受け付けると（Ｓ２２）、そのクライアント用に新たにウインドウを作成する（Ｓ２３）と共に、新たなソケットが作成される（Ｓ２４）。そして、待ち受けソケットで接続して来たクライアントをこの新規ウインドウのソケットに結び付け、ウインドウとクライアントホワイトボードを接続する（Ｓ２５）。さらに、新規ウインドウを他のウインドウと同じように、重ね合わせて、サーバＰＣの画面上に表示する（Ｓ２６）。
【０１０３】
  あるクライアントが切断しても、そのクライアント用のウインドウとそのウインドウに描画されたベクトルデータ、及びそのクライアントのネットワークアドレスは保持しておき、クライアントが再接続して来た場合に、同一のウインドウを再度割り当てる機能を付加することにより、ネットワークがトラブルを起こした場合でもそれに耐えられるシステムとすることが出来る。
【０１０４】
  本実施形態の会議支援システムは、各ウインドウ毎に、別個のソケットが割り当てられているので、ウインドウ毎に、通信機能と描画機能とを備えるように設計することにより、複数のクライアントから同時に書き込みが行われた場合の処理が簡単化され、高速に描画することができる。また、ウインドウ毎に色を割り振ることにより、ユーザの判別が容易になると共に、処理を高速にすることができる。
【０１０５】
  次に、ウインドウ毎の色の割り振りについて説明する。
【０１０６】
  図１５は、ウインドウ毎に色を割り振った場合の例を示す図である。
【０１０７】
  図１５に示すように、クライアントＡのウインドウ５１には書き込みの色として黒色が、クライアントＢのウインドウ５２には書き込みの色として赤色が、サーバのウインドウ５３には書き込みの色として青色がそれぞれ指定されている。その場合、クライアントがサーバに送信するベクトルデータには色情報は含まれていない。また、サーバが各ウインドウに色表示する際に、どのクライアントから書き込まれた描画であるか判断して、ベクトルデータに色を付する必要もない。
【０１０８】
  このようにして指定された色の描画像は、図の左上のように、重ね合わされて表示される。したがって、ＰＣの処理能力、通信量、データ量に関わりなく、ユーザー毎に自動的に色付けして、書き込んだ内容を表示することが出来る。
【０１０９】
  また、サーバがクライアントに対して色を割り当てた時点で、サーバはクライアントに色を指示し、クライアントにローカルで表示される描画像の色もその指定された色に従うよう変更することも出来る。
【０１１０】
  図１６及び図１７は、クライアント毎に色を割り振った場合の例を示す図である。
【０１１１】
  サーバーホワイトボードは、クライアントと各クライアントに割り当てた色の情報を管理している。
【０１１２】
  図１６に示すように、クライアントが接続してくると（Ｓ３１）、ネットワークアドレスやクライアントの名前などの情報を取得する（Ｓ３２）。この取得情報に基づいてクライアントに対して割り当てる色を決める（Ｓ３３）。
【０１１３】
  例えば、接続して来た順番に割りつける色が、黒、赤、青、緑等と決まっているときは、アドレスと色の情報を対にして管理することができる。」
　
（３）刊行物３の記載事項
　原査定の拒絶の理由で引用された原出願の出願前に頒布された刊行物である特開平１０−４９５１５号公報（以下、「刊行物３」という）には、図面とともに次の事項が記載されている。
　
「【０１３２】［第２の実施の形態］前述した第１の実施の形態では、ユーザ入力情報検出部２１によってユーザ入力情報の入力が検出されたときに検出された状態検出部２４の検出結果を、ユーザ入力情報の表示位置によって特定される表示位置に表示するようにしたが、この第２の実施の形態では、ユーザ入力情報検出部２１によってユーザ入力情報の入力が検出されたときに検出された状態検出部２４の検出結果に応じて、ユーザ入力情報の表示書式を変えて表示するようにする。他は、第１の実施の形態と同様である。
【０１３３】この例では、ユーザ入力情報の表示書式を変えて表示する方法の例として、ユーザ入力情報を、それに対応して状態検出部２４で検出された発話者ごとに異なる色で表示するようにする。
【０１３４】この第２の実施の形態の情報蓄積再生装置は、図１に示したものと基本的に同一の構成を有するが、ユーザ入力情報検出部２１で検出するユーザ入力情報は、キーボードから入力された文字情報の場合であり、状態検出部２４の処理としては音声信号の特徴抽出に基づいて発話者を特定する処理の場合である。
【０１３５】この第２の実施の形態では、ユーザ入力情報検出部２１は、キーボードを通じて所定時間間隔内に連続入力された複数の文字を１つの文字列情報（ユーザ入力情報）として認識する。
【０１３６】キーボードからの入力速度は、ユーザのキーボード打鍵習熟度に大きく依存するので、前記の所定時間間隔は、ユーザによって変更できるようにしてもよい。さらに、改行キーが入力された時には、前記の所定時間間隔内に連続入力された文字であっても、改行の次の文字からは別の文字列情報として処理するようにしてもよい。
【０１３７】以上のように、所定時間間隔内に連続入力された文字列を１つの文字列情報として扱うようにすることで、音声信号および画像信号を再生する時、文字列を構成する文字のうちいずれかが指定されれば、同じ記憶アドレスから音声および画像を再生できるようになり便利である。
【０１３８】図１５は、この例の場合の表示部２５での表示処理を示すフローチャートである。ステップＳ１６１でユーザ入力情報検出部２１からの文字列情報が有ると判別すると、ステップＳ１６２に進み、状態検出部２４からの発話者名の情報の到来を待って取得する。この例の場合には、参加者ＩＤを取得する。そして、ステップＳ１６３に進み、発話者ごとに異なる色の表示文字列を生成する。
【０１３９】この例の場合、予め、例えば、鈴木氏であれば青色、田中氏であれば緑色など、各会議参加者に対応した色が、図１６のように参加者テーブルに設定されている。ステップＳ１６３では、この参加者テーブルを参照して、状態検出部２４から取得した参加者ＩＤで示される発話者の文字色を検知し、この文字色にて、ステップＳ１６１で得た表示文字列を生成する。また、ステップＳ１６３では、文字色と発話者名との対応のための凡例の表示情報も生成する。
【０１４０】そして、ステップＳ１６４に進み、図１７に示すように、ユーザ入力情報の文字列情報の表示文字列ＬＴを、表示画面１１に表示する。また、文字色と発話者名との対応のための凡例表示ＩＮＤＸを、例えば画面１１の右下に表示する。図において、網点模様の違いは、色の違いを表している。なお、凡例表示ＩＮＤＸの近傍に表示されている「−３−」はページ番号である。
【０１４１】表示部２５は、以上の処理をユーザ入力情報検出部２１からの文字列情報が到来するごとに実行する。
【０１４２】すなわち、ユーザ入力情報検出部２１によって文字列がキーボードから入力されたことが検出されると、この文字列は入力された順序で表示画面１１に順次表示される。そして、図１７に示すように、表示ページ毎に、使用された文字色に対応する凡例ＩＮＤＸが、脚注として自動的に表示画面１１に表示される。」
　
３．対比
　本願発明と刊行物１発明とを対比する。
　
　刊行物１発明の「端末装置」、「他の端末装置からの手書きデータ」は、それぞれ、本願発明の「端末」、「他の端末から入力された情報」に相当するから、本願発明と刊行物１発明とは、「複数の端末と通信可能な通信端末に通信を行い、他の端末から入力された情報を表示画面に表示する通信端末に実行させる表示方法」である点で一致する。
　
　刊行物１発明が含んでいる、「各端末装置において会議参加者により名前と同時に登録され、参加している全ての端末装置に送信された、各参加者の手書き入力情報の表示色及び対応する端末装置のＩＤを記憶するステップ」は、「各端末について、それぞれの端末ＩＤごとに当該端末から送信された情報を表示部に表示する際の表示色を規定する表示色規定ステップ」ともいい得るから、本願発明と刊行物１発明とは、「各端末について、それぞれの端末ＩＤごとに当該端末から送信された情報を表示部に表示する際の表示色を規定する表示色規定ステップ」を含む点で共通しているといえる。
　
　刊行物１発明は、「他の端末装置から受信した手書きデータを送信元のＩＤを含めて格納し、送信元のＩＤから手書きデータの表示色を決定するステップ」を含む。
　ここで、「送信元のＩＤ」は、受信した手書きデータの送信元、すなわち、「他の端末装置」であるから、手書きデータを受信するに際して検出したものであるのは明らかである。すなわち、刊行物１発明では、「他の端末から受信した情報から送信元の端末ＩＤを検出し」ているといえる。
　また、刊行物１発明では、「送信元のＩＤから手書きデータの表示色を決定する」のは、記憶した「各参加者の手書き入力情報の表示色及び対応する端末装置のＩＤ」をもとに決定すると考えられる。
　したがって、刊行物１発明は、「他の端末から受信した情報から送信元の端末ＩＤを検出し、表示色規定ステップにおいて規定された端末ＩＤごとの表示色をもとに、送信元の端末ＩＤに対応する表示色を決定する表示色決定ステップ」を含むといえ、この点で本願発明と一致する。
　
　刊行物１発明は、「前記手書きデータを前記表示画面に表示するステップ」を含む。
　表示する際の表示色は上記「表示色決定ステップ」で決定したものであるから、本願発明と刊行物１発明とは、「決定された表示色を用いて、受信した情報を表示画面上に表示する第二表示ステップ」を含む点で一致するといえる。
　
　以上をまとめると、本願発明と刊行物１発明の一致点及び相違点は次のとおりである。
　
［一致点］ 
　複数の端末と通信可能な通信端末に通信を行い、他の端末から入力された情報を表示画面に表示する通信端末に実行させる表示方法であって、
　各端末について、それぞれの端末ＩＤごとに当該端末から送信された情報を表示部に表示する際の表示色を規定する表示色規定ステップと、
　他の端末から受信した情報から送信元の端末ＩＤを検出し、表示色規定ステップにおいて規定された端末ＩＤごとの表示色をもとに、送信元の端末ＩＤに対応する表示色を決定する表示色決定ステップと、
　決定された表示色を用いて、受信した情報を表示画面上に表示する第二表示ステップとを含むことを特徴とする表示方法。
　
［相違点］ 
相違点１
　「表示色規定ステップ」が、本願発明では、「他の端末との通信接続が開始される際に、各端末について、それぞれの端末ＩＤごとに当該端末から送信された情報を表示部に表示する際の表示色を、端末が接続完了した順にしたがって規定する」ものであるのに対し、刊行物１発明では、「各端末について、それぞれの端末ＩＤごとに当該端末から送信された情報を表示部に表示する際の表示色を規定する」ものではあるものの、「他の端末との通信接続が開始される際に、」「端末が接続完了した順にしたがって規定する」ものではない点。
　
相違点２
　本願発明は、「ユーザのユーザ番号若しくはユーザネーム又はユーザの使用するプレイヤキャラクタと規定された表示色との対応関係を表示画面上に表示する第一表示ステップ」を含むのに対し、刊行物１発明は、そのようなステップを含まない点。
　
４．当審の判断
（１）相違点１について
　刊行物１発明における「表示色規定ステップ」は、「各端末装置において会議参加者により名前と同時に登録され、参加している全ての端末装置に送信された、各参加者の手書き入力情報の表示色及び対応する端末装置のＩＤを記憶するステップ」である。
　このステップに関して、刊行物１の【００３２】−【００３５】には、次のように記載されている。
「【００３２】図３は、会議の開始時に参加者の名前を登録するための、各端末装置１の表示画面１１Ｃを示す図であり、表示画面１１Ｃ上のウィンドウ２１内に、標題２１１および名前登録用スペース２１２が表示されている。
【００３３】会議参加者は、各自の名前を名前登録用スペース２１２にペン１３を用いて登録する。
【００３４】この時、各個人のプライベートな手書き情報と他の参加者が入力した共有手書き情報をどの色、どの濃度で表示するか選択する。
【００３５】この色の選択方法としては、例えば、最初に起動された端末装置１の会議進行プログラムが表示色管理を行なって各参加者に色を割り当てる方法や、参加者が選択した色を、各参加者のそれぞれの各端末装置１に通信し、他参加者が選べないようにするなどの方法がある。」
　ここでいう色の選択方法とは、各会議参加者に対する（すなわち、端末装置のＩＤに対する）表示色の対応付けを規定する方法といえ、その方法が「例えば」として、２つの方法が例示されている。よって、刊行物１には、上記表示色の対応付けを規定する方法として、例示した２つの方法を含む様々な方法が採用でき、他に採用可能な方法が知られていればそれを採用し得ることが示唆されているといえる。
　一方、ネットワークに接続された複数のＰＣが同じ画面を共有し、共有する画面に各ＰＣから描画像を書き込む会議支援システムにおいて、該ＰＣが書き込む描画像の表示色を、ＰＣが接続してきた順番にしたがって割り当てる方法が、刊行物２に記載されている（特に、【０１１２】−【０１１３】を参照されたい）ように知られている。
　したがって、刊行物１発明において、表示色の対応付けを規定する方法として、刊行物２に記載された、ＰＣが書き込む描画像の表示色を、ＰＣが接続してきた順番にしたがって割り当てる方法を採用すること、すなわち、刊行物１発明において、「表示色規定ステップ」を、「他の端末との通信接続が開始される際に、各端末について、それぞれの端末ＩＤごとに当該端末から送信された情報を表示部に表示する際の表示色を、端末が接続完了した順にしたがって規定する」ようにすることは、当業者が容易に想到し得ることである。
　
（２）相違点２について
　刊行物１発明は、他の端末装置からの手書きデータを、端末装置の表示画面に、前記他の端末装置に対応する表示色で表示するものである。
　複数の情報を互いに異なる表示色で表示画面に表示する場合に、各情報の内容と表示色との対応関係が分かるようにするために、該対応関係を凡例表示することは、刊行物３に、会議支援システムの表示文字色と発話者名との対応関係の凡例として記載され（特に、【図１７】、【０１４０】−【０１４２】を参照されたい）、また、その他に、グラフ表示の凡例としてもよく用いられているように周知の技術であり、この技術は、手書きデータを端末装置のＩＤに対応する表示色で表示する刊行物１発明においても有用であるのは明らかである。
　したがって、刊行物１発明において、他の端末装置のＩＤ（送信元のＩＤ）と対応する表示色との対応関係を凡例表示することは、当業者が容易に想到し得ることであり、刊行物１発明の「送信元のＩＤ」は、送信元の参加者（ユーザ）に対応した番号、すなわち、本願発明の「ユーザのユーザ番号」に相当するから、結局、刊行物１発明において、「ユーザのユーザ番号若しくはユーザネーム又はユーザの使用するプレイヤキャラクタと規定された表示色との対応関係を表示画面上に表示する第一表示ステップ」を含むようにすることは、当業者が容易に想到し得ることである。
　
（３）まとめ
　相違点１は、表示色の規定に関するものであり、相違点２は、対応関係の表示に関するものである。これらの相違点は、例えば、一方の相違点を克服して初めて他方の相違点に対する議論が成り立つというような互いに不可分の関連にあるものではなく、それぞれ個別に分けて考察し得るものであるから、上述したように、刊行物１発明において、刊行物２に記載されたような表示色の規定方法を採用することが当業者が容易に想到し得ることであり、また、刊行物１発明において、刊行物３に記載されたような対応関係の表示を行うことが当業者が容易に想到し得ることであるならば、刊行物１発明において、刊行物２に記載されたような表示色の規定方法を採用し、かつ、刊行物３に記載されたような対応関係の表示を行うことも当業者が容易に想到し得ることであるといえる。
　また、刊行物１発明において、上記相違点１及び相違点２を克服して容易に想到し得る構成が奏する効果は当業者が予測し得るものである。
　よって、本願発明は、刊行物１に記載された発明、刊行物２に記載された技術、及び、刊行物３に記載された技術に基づいて当業者が容易に発明をすることができたものである。
　
第４　むすび
　以上のとおりであるから、本願の請求項４に係る発明は、特許法第２９条第２項の規定により特許を受けることができない。
　したがって、本願は、その余の請求項について論及するまでもなく、拒絶すべきものである。
　よって、結論のとおり審決する。